(57)【要約】【課題】大掛かりな工事を行うことなく、配線の施設を伴う後付け機器の設置を可能にする配線の施設方法及び支柱ユニットを得る。【解決手段】リフォーム時に設置されるＨＥＭＳ２４用の後付け配線５２に接続される先行配線２６（点線で示す）を予め施設している。これにより、後日、ＨＥＭＳ２４を設置する際に、後付け配線５２を施設するために壁部６２や天井部２８などを剥がす必要はない。つまり、大掛かりな工事を行うことなく後付け配線５２を伴うＨＥＭＳ２４の設置を可能にすることができる。【選択図】図３
2014125829.tif 000002
【特許請求の範囲】
【請求項１】
リフォーム時に設置される後付け機器用の後付け配線が接続される先行配線が予め施設された天井裏を構成する天井部及び床裏を構成する床部の少なくとも一方において、壁材に近接した位置に穴部を開ける第１工程と、
前記天井部から前記床部に亘って立設され前記穴部を覆うカバー部材を前記壁材に固定する第２工程と、
を有する配線の施設方法。
【請求項２】
前記後付け機器は建物内のエネルギの管理や制御を行う制御装置であり、
前記カバー部材の周壁に前記制御装置を取り付けると共に当該制御装置用の前記後付け配線を前記先行配線に接続させる第３工程を有する請求項１に記載の配線の施設方法。
【請求項３】
前記先行配線は、センサ分電盤、太陽光発電用パワーコンディショナ及び情報分電盤と接続可能とされる請求項２に記載の支柱ユニット。
【請求項４】
前記第２工程において、前記壁材の裏面側の面に設けられた木質部材に前記カバー部材を固定する請求項２又は請求項３に記載の配線の施設方法。
【請求項５】
天井部から床部に亘って立設され、前記天井部及び前記床部の少なくとも一方において壁材に近接した位置に開けられた穴部を覆うと共に後付け機器が設けられたカバー部材と、
前記カバー部材の内部に施設され、前記穴部と連通する天井裏及び床裏の少なくとも一方に予め施設された先行配線と接続される前記後付け機器用の後付け配線と、
を有する支柱ユニット。
【請求項６】
前記後付け機器は建物内のエネルギの管理や制御を行う制御装置である請求項５に記載の支柱ユニット。
【請求項７】
前記先行配線は、センサ分電盤、太陽光発電用パワーコンディショナ及び情報分電盤と接続される請求項５又は請求項６に記載の支柱ユニット。
【請求項８】
前記カバー部材は、リビング、ダイニング又はキッチンに設けられている請求項５〜請求項７の何れか１項に記載の支柱ユニット。
【請求項９】
室内側に設けられ前記制御装置が設置される配設部と、
前記配設部の下方に設けられ前記室内からの物の出し入れを可能にする収納部と、
を有する請求項６〜請求項８の何れか１項に記載の支柱ユニット。
【請求項１０】
前記カバー部材にコンセントが設けられている請求項５〜請求項９の何れか１項に記載の支柱ニット。
【請求項１１】
前記配設部が凹設されている請求項９又は請求項１０に記載の支柱ニット。
【発明の詳細な説明】
【技術分野】
【０００１】
本発明は、建物内の配線の施設方法及び支柱ユニットに関する。
【背景技術】
【０００２】
特許文献１には、住宅内を間仕切る間仕切り壁内において、分電盤が収納できると共に備品収納スペースとして利用可能な技術が開示されている。一方、特許文献２には、リフォーム用天井材を支持する支持金具に形成された電線挿通用の通孔にダクトの一端を臨ませ当該ダクトの他端を分電盤に臨ませてダクトを壁面に取付けることで、リフォーム用天井材を施工する際に、当該ダクトを通じて追加の配線を行うという技術が開示されている。
【先行技術文献】
【特許文献】
【０００３】
【特許文献１】特開２０１０−２５５２５５号公報
【特許文献２】特開２００２−１６５３１７号公報
【発明の概要】
【発明が解決しようとする課題】
【０００４】
しかしながら、特許文献１に記載の技術では、リフォームなどによって配線を施設する際、間仕切り壁を剥がす必要が生じる。一方、特許文献２に記載の技術では、配線を施設する際、新たな天井材を室内に設けると共にダクトを設ける必要が生じる。つまり、これらの先行技術では、配線の施設に伴って大掛かりな工事が必要となる。
【０００５】
本発明は、上記事実を考慮して成されたもので、大掛かりな工事を行うことなく、配線の施設を伴う後付け機器の設置を可能にする配線の施設方法及び支柱ユニットを得ることを目的とする。
【課題を解決するための手段】
【０００６】
上記目的を達成するために、請求項１に記載の発明に係る配線の施設方法は、リフォーム時に設置される後付け機器用の後付け配線が接続される先行配線が予め施設された天井裏を構成する天井部及び床裏を構成する床部の少なくとも一方において、壁材に近接した位置に穴部を開ける第１工程と、前記天井部から前記床部に亘って立設され前記穴部を覆うカバー部材を前記壁材に固定する第２工程と、を有している。
【０００７】
請求項１に記載の発明に係る配線の施設方法では、リフォーム時に設置される後付け機器用の後付け配線が接続される先行配線が、天井裏及び床裏の少なくとも一方に予め施設されている。つまり、リフォーム時に後付け機器を設置する際に、予め施設された先行配線に後付け機器用の後付け配線を接続させれば良く、リフォーム時に新たに専用配線を施設するために壁材や天井材などを剥がす必要はない。
【０００８】
ここで、第１工程では、天井部及び床部の少なくとも一方において、壁材に近接した位置に穴部を開け、第２工程において、当該穴部を覆うカバー部材を天井部から床部に亘って立設させた状態で壁材に固定している。このように、カバー部材によって穴部を隠すことができると共に当該カバー部材を室内のインテリアの一部として室内の意匠性を向上させることができる。
【０００９】
請求項２に記載の発明に係る配線の施設方法は、請求項１に記載の発明に係る配線の施設方法において、前記後付け機器は建物内のエネルギの管理や制御を行う制御装置であり、前記カバー部材の周壁に前記制御装置を取り付けると共に当該制御装置用の後付け配線を前記先行配線に接続させる第３工程を有している。
【００１０】
請求項２に記載の発明に係る配線の施設方法では、後付け機器は建物内のエネルギの管理や制御を行う制御装置（いわゆるＨＥＭＳ）であり、第３工程において、カバー部材の周壁に制御装置を取り付けると共に当該制御装置用の後付け配線を先行配線に接続させる。
【００１１】
一般的に、ＨＥＭＳを配設する際、天井部、床部及び壁部などにＨＥＭＳ用の配線を施設し、大掛かりな作業が必要とされる。しかし、本発明では、予め施設された先行配線に、天井部、床部に形成された穴部を通じてＨＥＭＳ用の後付け配線を接続させるだけなので、大掛かりな作業は不要となる。
【００１２】
請求項３に記載の発明に係る配線の施設方法は、請求項２に記載の発明に係る配線の施設方法において、先行配線は、センサ分電盤、太陽光発電用パワーコンディショナ及び情報分電盤と接続可能とされる。
【００１３】
請求項３に記載の発明に係る配線の施設方法では、後付けでＨＥＭＳを設置させた際に、先行配線を介して、当該ＨＥＭＳとセンサ分電盤、太陽光発電用パワーコンディショナ及び情報分電盤とが接続されることによって、建物内のエネルギの管理や制御が行われる。
【００１４】
請求項４に記載の発明に係る配線の施設方法は、請求項２又は請求項３に記載の発明に係る配線の施設方法において、前記第２工程において、前記壁材の裏面側の面に設けられた木質部材に前記カバー部材を固定する。
【００１５】
一般的に、壁部において、下地材として木質部材が使用されており、当該木質部材に壁材が取り付けられるようになっている。このため、請求項４に記載の発明に係る配線の施設方法では、第２工程において、壁材の裏面側の面に設けられた木質部材にカバー部材を固定するようにすることで、壁材にカバー部材を固定させるための専用部材が不要となる。
【００１６】
請求項５に記載の発明に係る支柱ユニットは、天井部から床部に亘って立設され、前記天井部及び前記床部の少なくとも一方において壁材に近接した位置に開けられた穴部を覆うと共に後付け機器が設けられたカバー部材と、前記カバー部材の内部に施設され、前記穴部と連通する天井裏及び床裏の少なくとも一方に先行して施設された先行配線と接続される前記後付け機器用の後付け配線と、を有している。
【００１７】
請求項５に記載の発明に係る支柱ユニットでは、天井部から床部に亘って立設されたカバー部材が設けられている。このカバー部材は、天井部及び床部の少なくとも一方において壁材に近接した位置に開けられた穴部を覆うようになっている。また、カバー部材には後付け機器が設けられており、カバー部材の内部に施設された後付け機器用の後付け配線が、穴部と連通する天井裏及び床裏の少なくとも一方に予め施設された先行配線と接続される。後付け機器及び後付け配線等は支柱ユニットにアッシー化され、工場において組み立てられる。このため、組み上がった状態で当該支柱ユニットを建物内に設置することができ、作業性が良い。
【００１８】
請求項６に記載の発明に係る支柱ユニットは、請求項５に記載の発明に係る支柱ユニットにおいて、前記後付け機器は建物内のエネルギの管理や制御を行う制御装置である。
【００１９】
一般的に、建物内のエネルギの管理や制御を行う制御装置（ＨＥＭＳ）を後付けする場合、天井部、床部及び壁部などに配線を施設しなければならず、大掛かりな作業が必要とされる。しかし、請求項６に記載の発明に係る支柱ユニットでは、先行配線された後付け配線に、天井部及び床部の少なくとも一方に形成された穴部を通じてＨＥＭＳと接続される先行配線を接続させるだけなので、大掛かりな作業は不要となる。
【００２０】
請求項７に記載の発明に係る支柱ユニットは、請求項５又は請求項６に記載の支柱ユニットにおいて、前記先行配線は、センサ分電盤、太陽光発電用パワーコンディショナ及び情報分電盤と接続される。
【００２１】
請求項７に記載の発明に係る支柱ユニットでは、先行配線を介しては、センサ分電盤、太陽光発電用パワーコンディショナ及び情報分電盤と接続されることによって、建物内のエネルギの管理や制御が行われる。
【００２２】
請求項８に記載の発明に係る支柱ユニットは、請求項５〜請求項７の何れか１項に記載の支柱ユニットにおいて、前記カバー部材は、リビング、ダイニング又はキッチンに設けられている。
【００２３】
ＨＥＭＳは建物内のエネルギの管理や制御を行うため、生活に密着した場所に当該ＨＥＭＳを設置することが好ましい。このため、請求項８に記載の発明に係る支柱ユニットでは、カバー部材がリビング、ダイニング又はキッチンに設けられている。
【００２４】
請求項９に記載の発明に係る支柱ユニットは、請求項６〜請求項８の何れか１項に記載の支柱ユニットにおいて、室内側に設けられ前記制御装置が設置される配設部と、前記配設部の下方に設けられ前記室内からの物の出し入れを可能にする収納部と、を有している。
【００２５】
請求項９に記載の発明に係る支柱ユニットでは、室内側に制御装置を取り付ける配設部が設けられており、制御装置が室内側に露出している。また、配設部の下方には、室内からの物の出し入れを可能にする収納部が設けられている。このため、当該支柱ユニットを単なる配線カバーとしてではなく、収納部としても利用可能である。
【００２６】
請求項１０に記載の発明に係る支柱ユニットは、請求項５〜請求項９の何れか１項に記載の支柱ニットにおいて、前記カバー部材にコンセントが設けられている。
【００２７】
請求項１０に記載の発明に係る支柱ユニットでは、カバー部材にコンセントが設けられているため、家電機器への電力供給が可能であり、便利である。
【００２８】
請求項１１に記載の発明に係る支柱ユニットは、請求項９又は請求項１０に記載の支柱ニットにおいて、前記配設部が凹設されている。
【００２９】
請求項１１に記載の発明に係る支柱ユニットでは、配設部が凹設されているため、支柱ユニットの周壁の表面をフラットにすることができ、意匠的にも向上する。
【発明の効果】
【００３０】
以上説明したように、請求項１記載の本発明に係る配線の施設方法は、大掛かりな工事を行うことなく、配線の施設を伴う後付け機器の設置を可能にすることができる、という優れた効果を有する。
【００３１】
請求項２記載の本発明に係る配線の施設方法は、大掛かりな作業が不要となる、という優れた効果を有する。
【００３２】
請求項３記載の本発明に係る配線の施設方法は、建物内のエネルギの管理や制御を行うことができる、という優れた効果を有する。
【００３３】
請求項４記載の本発明に係る配線の施設方法は、コストダウンを図ることができる、という優れた効果を有する。
【００３４】
請求項５記載の本発明に係る支柱ユニットは、組み上がった状態で建物内に設置することができるため作業性が良い、という優れた効果を有する。
【００３５】
請求項６記載の本発明に係る支柱ユニットは、大掛かりな作業が不要となる、という優れた効果を有する。
【００３６】
請求項７記載の本発明に係る支柱ユニットは、建物内のエネルギの管理や制御を行うことができる、という優れた効果を有する。
【００３７】
請求項８記載の本発明に係る支柱ユニットは、生活に密着した場所にＨＥＭＳを設置することができるため利便性が良い、という優れた効果を有する。
【００３８】
請求項９記載の本発明に係る支柱ユニットは、収納スペースとして有効利用できる、という優れた効果を有する。
【００３９】
請求項１０記載の本発明に係る支柱ユニットは、実質的にコンセントを後付けすることができる、という優れた効果を有する。
【００４０】
請求項１１記載の本発明に係る支柱ユニットは、室内空間の意匠の一部として利用することができる、という優れた効果を有する。
【図面の簡単な説明】
【００４１】
【図１】本実施の形態に係る配線の施設方法が適用された住宅を示す概念図である。
【図２】図１で示す住宅においてＨＥＭＳが後付けされた状態を示す概念図である。
【図３】本実施の形態に係る配線の施設方法が適用された住宅の構成を示すブロック図であり、（Ａ）はＨＥＭＳが取り付けられる前の状態を示し、（Ｂ）はＨＥＭＳが取り付けられた後の状態を示している。
【図４】本実施の形態に係る支柱ユニットを構成するカバー部材を示す、（Ａ）は水平断面図であり、（Ｂ）は斜視図である。
【図５】本実施の形態に係る支柱ユニットの配置例を示す間取り図である。
【図６】本実施の形態に係る支柱ユニットの変形例であり、（Ａ）は変形例（１）、（Ｂ）は変形例（２）（Ｃ）は変形例（３）（Ｄ）は変形例（４）を示す斜視図である。
【図７】本実施の形態に係る支柱ユニットの変形例であり、（Ａ）は変形例（５）、（Ｂ）は変形例（６）を示す斜視図である。
【発明を実施するための形態】
【００４２】
以下、図面を参照して本発明の一実施形態に係る配線の施設方法について説明する。
（配線の施設方法の構成）
【００４３】
まず、本実施の形態に係る配線の施設方法を備えた住宅１０について説明する。図１及び図３（Ａ）に示されるように、この住宅１０は太陽光発電装置１２を備えており、太陽光によって発電された電力を当該住宅１０で使用可能とされている。太陽光発電装置１２は、パワーコンディショナ１４を含んで構成されており、太陽光発電装置１２によって発電された直流電力がパワーコンディショナ１４によって交流電力に変換されて分電盤１６に供給されることにより、住宅１０に電力が供給される。
【００４４】
また、分電盤１６には、電力会社から供給される系統電力１８及び太陽光発電装置１２が接続されると共に、住宅１０に設けられた住設機器２０や家電機器２２等が接続されている。すなわち、太陽光発電装置１２による発電電力や系統電力１８による電力が分電盤１６を介して水道やガスなどの住設機器２０（図３（Ａ）参照）や家電機器２２（図３（Ａ）参照）に供給されるようになっている。
【００４５】
ところで、近年、住宅内のエネルギの管理や制御を行うＨＥＭＳ（Ｈｏｍｅ  Ｅｎｅｒｇｙ  Ｍａｎａｇｅｍｅｎｔ  Ｓｙｓｔｅｍ）の導入が推奨されている。このため、本実施形態における住宅１０では、近い将来、後付け機器としてのＨＥＭＳ２４（図２参照）の導入ができるよう、ＨＥＭＳ２４に接続される先行配線２６（点線で示す）が予め施設（先行施設）されている。
【００４６】
例えば、図１に示されるように、天井部２８には天井点検口３０が形成される（第１工程）。天井裏３２にはセンサ分電盤３４と接続される先行配線３６、太陽光発電用パワーコンディショナ（以下、「太陽光発電用パワコン」という）１４と接続される先行配線４０、情報分電盤４２（図２参照）と接続される先行配線４４及びＬＡＮモジュラジャック４６と接続される先行配線４８が先行施設されている。
【００４７】
なお、分電盤１６はＨＥＭＳ２４を導入するとセンサ分電盤３４に取り替えられる。また、先行配線４８は、本実施形態では天井裏３２に施設された例として説明しているが、図面上見やすくするため起立させた状態で図示している。そして、これらの先行配線２６の接続部分５０は、天井点検口３０付近に配置されるようにしておく。
【００４８】
そして、リフォーム時、図２に示されるように、ＨＥＭＳ２４を設置する際に、当該ＨＥＭＳ２４と接続される後付け配線としての後付け配線５２と先行施設された先行配線２６とが接続されることになる。後付け配線５２は、例えば、センサ分電盤３４と接続される後付け配線５４、太陽光発電用パワコン１４と接続される後付け配線５６、情報分電盤４２と接続される後付け配線５８、ＬＡＮモジュラジャック４６と接続される後付け配線６０等がある。
【００４９】
そして、これらの後付け配線５２を隠すため、壁部６２には支柱ユニット６４が取り付けられる。この支柱ユニット６４はカバー部材６６によって構成されている。カバー部材６６は天井部２８から床部２９に亘って立設されるようになっており、図４（Ａ）に示されるように、水平方向に沿った断面形状ではコ字状を成している。
【００５０】
図４（Ａ）、（Ｂ）に示されるように、このカバー部材６６の前壁６６Ａには、当該カバー部材６６の高さ方向に沿った略中央部に配設部６８が設けられている。この配設部６８にはモニタ７０が取り付けられるようになっており、当該モニタ７０が室内７２から目視可能とされている。また、カバー部材６６の上端部は開口されており、この開口を通じてＨＥＭＳ２４と接続される後付け配線５２（図２参照）が先行配線２６と接続可能とされる。
【００５１】
なお、図示はしないが、ＨＥＭＳ２４が天井点検口３０の下方に設けられている場合は、当該天井点検口３０を介してＨＥＭＳ２４の後付け配線５２と先行配線２６とが接続が行われることになるが、図２に示されるように、ＨＥＭＳ２４が天井点検口３０の下方から離れた位置では、天井部２８に別途穴部７４が形成される。
【００５２】
（配線の施設方法の作用・効果）
まず、支柱ユニット６４の取り付け方法について説明する。
【００５３】
前述のように、図４（Ａ）に示す支柱ユニット６４を構成するカバー部材６６は、水平方向に沿った断面形状ではコ字状を成している。一般的に、壁部６２には下地材として木質部材７６が使用されており、当該木質部材７６が高さ方向に沿って延在された状態で木質部材７６に壁材７８が取り付けられるようになっている。
【００５４】
この壁材７８の裏面側の面に設けられた木質部材７６に対してビス８１によって木質部材８０をビス止めする。木質部材８０はカバー部材６６の幅寸法に合わせて２本配置され、それぞれ高さ方向に沿って延在されている。一対の木質部材８０の外側からカバー部材６６を嵌め込むようにして、カバー部材６６における一対の側壁６６Ｂをビス６７によってそれぞれビス止めする。これにより、カバー部材６６が壁部６２に取り付けられることになる（第２工程）。なお、ビス６７とビス８１は異なる高さでビス止めされる。
【００５５】
このように、壁材７８を取り付けるための木質部材７６を利用して、当該壁材７８にカバー部材６６を固定することで、壁部６２にカバー部材６６を固定させるための専用部材が不要となる。したがって、コストダウンを図ることができる。
【００５６】
そして、カバー部材６６が壁部６２に固定された状態で、カバー部材６６の上端は開口されているため、この開口を通じて、図２に示されるように、ＨＥＭＳ２４と接続される後付け配線５２が先行配線２６と接続可能とされる（第３工程）。
【００５７】
一般的に、ＨＥＭＳ２４を設置する際、天井部２８、床部２９及び壁部６２などに後付け配線５２を施設するため、大掛かりな作業が必要とされる。しかし、本実施形態では、図１及び図２に示されるように、リフォーム時に設置されるＨＥＭＳ２４用の後付け配線５２に接続される先行配線２６を予め施設している。
【００５８】
これにより、リフォーム時ＨＥＭＳ２４を設置する際に、後付け配線５２を施設するために壁部６２や天井部２８などを剥がす必要はない。つまり、大掛かりな工事を行うことなく後付け配線５２を伴うＨＥＭＳ２４の設置を可能にすることができる。
【００５９】
以上のようにして、後付け配線５２及び先行配線２６を介して、図２及び図４（Ｂ）に示されるように、ＨＥＭＳ２４とセンサ分電盤３４、太陽光発電用パワコン１４及び情報分電盤４２とが接続されることによって、住宅１１内のエネルギの管理や制御が行われる。つまり、ＨＥＭＳ２４により住宅１１内のエネルギを管理することによって、カバー部材６６に取り付けられたモニタ７０を見るだけでエネルギ使用状況がひと目で把握できる。
【００６０】
また、情報分電盤４２を介して情報センタ４５とＬＡＮ接続されることによって、家庭単体だけでなく、街全体の電力利用を最適化することも可能となり、環境負荷の低減や、省エネルギ化に貢献することができる。
【００６１】
なお、ここでは、図１に示されるように、住宅１０において、予め太陽光発電装置１２が設置された状態について説明したが、当該太陽光発電装置１２は後付け機器として後日設置しても良いのは勿論のことである。
【００６２】
また、図４（Ｂ）に示されるように、ＨＥＭＳ２４には、蓄電池７３を接続させても良い。これにより。使用電力のピーク時間をシフトさせることができる。つまり、コストの安い深夜電力を蓄電池７３に蓄積させ、コストの高い昼間の時間帯に使用することで、電力を効率良く使用することができる。特に、昼間の時間に使う電力を蓄電池７３が補充することで、太陽光で発電した電力をより多く売電することができる。
【００６３】
さらに、ハイブリッド自動車や電気自動車等に搭載された車両用蓄電池７５を充電するための充電スタンド７７をＨＥＭＳ２４に接続させ、センサ分電盤３４から充電スタンド７７に電力を供給して車両用蓄電池７５を充電するようにしても良い。これにより、予めセットしておいた時間に充電を行うことができ、充電にかかるコストを抑えることができる。また、充電スタンド７７は、非常時などの場合、車両用蓄電池７５から交流に電力を変換してセンサ分電盤３４に電力を供給可能とされている。
【００６４】
このように、ＨＥＭＳ２４によって住宅１１内のエネルギの管理や制御が行われるため、図５に示されるように、モニタ７０が取り付けられた支柱ユニット６４は、ＬＤＫ（Ｌｉｖｉｎｇ  Ｄｉｎｉｎｇ  Ｋｉｔｃｈｅｎ）８８に設置される。なお、室内の間取りは、リビング、ダイニング及びキッチンが同じ空間で繋がるＬＤＫでも良く、図５ではキッチン９０に設けられている。キッチン９０に支柱ユニット６４を設ける場合、熱による負荷を受け難くするため、コンロ９２の中心から半径２ｍ以内（１点鎖線で囲まれる領域内）の壁材に支柱ユニット６４を取り付けないようにする必要がある。ＨＥＭＳ２４は生活に密着した場所に設置することが好ましいため、支柱ユニット６４をＬＤＫ８８に設置することで利便性が良くなる。
【００６５】
ところで、図２に示されるように、ＨＥＭＳ２４を配設する支柱ユニット６４には当該ＨＥＭＳ２４用の後付け配線５２が施設されており、現場では、後付け配線５２を住宅１０（図１参照）内において予め施設された先行配線２６と接続させた状態で支柱ユニット６４のカバー部材６６を壁材７８に取り付けるだけである。
【００６６】
つまり、支柱ユニット６４において、ＨＥＭＳ２４及び後付け配線５２等はアッシー化され、工場において組み立てられるため、組み上がった状態で住宅１１内に設置することができ、作業性が良い。また、本実施形態では、天井部２８から床部２９に亘って立設され穴部７４を覆うカバー部材６６を壁材７８に固定することで、カバー部材６６によって穴部７４を隠すことができると共に、当該カバー部材６６を室内のインテリアの一部として意匠性を向上させることができる。
【００６７】
（その他の実施形態）
上記のように、支柱ユニット６４を室内のインテリアの一部として考えた場合、図４（Ｂ）に示す構成以外にも以下のようなものがある。
【００６８】
（１）例えば、図６（Ａ）に示されるように、支柱ユニット９４において、配設部６８の下方に室内７２からの物の出し入れを可能にする収納部９６、９７を上下に設けても良い。これにより、支柱ユニット９４を収納スペースとして有効利用することができる。なお、収納部９６と収納部９７とは繋がった状態で形成されても良い。
【００６９】
（２）図６（Ｂ）に示されるように、支柱ユニット９８において、折り畳み式の机１００を設けても良い。支柱ユニット９８の下部には図示しない椅子等を収納可能な収納部１０２を設けても良い。勿論、この収納部１０２はなくても良い。
【００７０】
（３）図６（Ｃ）に示されるように、支柱ユニット１０４の配設部１０６において、いわゆるニッチタイプにしてこの部分を凹設しても良い。これにより、当該配設部１０６内にモニタ７０が取り付けられた状態で、モニタ７０の表面と支柱ユニット１０４の前壁１０４Ａとをフラットにすることができる。これにより、さらなる意匠の向上を図ることができる。
【００７１】
（４）図６（Ｄ）に示されるように、支柱ユニット１０８にコンセント１１０及びスイッチ１１２を配設しても良い。当該コンセント１１０を介して家電機器への電力供給が可能となる。つまり、図２に示す壁部６２や天井部２８などを剥がすことなく実質的にコンセント１１０を後付けすることができる。
【００７２】
（５）図７（Ａ）に示されるように、支柱ユニット６４以外にダミー支柱１１４を用いて支柱ユニット６４とダミー支柱１１４との間に収納棚１１６を作成しても良い。例えば、壁部６２の高さ方向に沿ってレール１１８を配設し、当該レール１１８に棚受け部（図示省略）を設けて、支柱ユニット６４とダミー支柱１１４との間で架け渡された棚板１２０を当該棚受け部で支持する。これによると、室内７２に支柱ユニット６４を設けたことによる凹凸感が緩和される。
【００７３】
（６）図７（Ｂ）に示されるように、支柱ユニット１２２のみで収納棚１２４を作成しても良い。特に、支柱ユニット１２２をキッチン９０に設置させた場合、多種の家電機器１２６、１２８が使用されるため、コンセント１３０が配設されているとさらに便利である。
【００７４】
なお、本実施形態では、図１に示されるように、天井部２８側に先行配線２６を施設したが、床部２９側に先行配線２６を施設しても良いのは勿論のことであり、住宅１０の階層によっては天井部２８及び床部２９に先行配線２６が施設される場合もある。
【００７５】
また、本実施形態では、図１に示されるように、太陽光発電装置１２を備えた例について説明したが、これに限るものではない。例えば、風力、水力、火力等の各種自然エネルギを利用した発電装置を備えるようにしても良いし、燃料電池等の発電装置を備えるようにしても良い。
【００７６】
以上、本発明の一実施形態について説明したが、本発明は、上記に限定されるものでなく、上記以外にも、その主旨を逸脱しない範囲内において種々変形して実施可能であることは勿論である。
【符号の説明】
【００７７】
１０      住宅（建物）
１１      住宅（建物）
１２      太陽光発電装置
１４      太陽光発電用パワコン（太陽光発電用パワーコンディショナ）
２４      ＨＥＭＳ（制御装置、後付け機器）
２６      先行配線
２８      天井部
２９      床部
３２      天井裏
３４      センサ分電盤
３６      先行配線
４０      先行配線
４２      情報分電盤
４４      先行配線
４８      先行配線
５２      後付け配線
５４      後付け配線
５６      後付け配線
５８      後付け配線
６０      後付け配線
６４      支柱ユニット
６６      カバー部材
６８      配設部
７４      穴部
７６      木質部材
７８      壁材
９０      キッチン
９４      支柱ユニット
９６      収納部
９７      収納部
９８      支柱ユニット
１０２    収納部
１０４    支柱ユニット
１０６    配設部
１０８    支柱ユニット
１１０    コンセント
１２２    支柱ユニット
１３０    コンセント
【図１】
2014125829.tif 000003
【図２】
2014125829.tif 000004
【図３】
2014125829.tif 000005
【図４】
2014125829.tif 000006
【図５】
2014125829.tif 000007
【図６】
2014125829.tif 000008
【図７】
2014125829.tif 000009